(57)【要約】      （修正有）【課題】自動車のヘッドライトのリフレクタを駆動するための電磁線を制限する電子カードを備えるアクチュエータを提供する。【解決手段】電子制御カード１は、モータ７を制御するために、ハウジング８に固定された案内縁８Ａ，８Ｂ，８Ｃ上に、モータ７に近接して引き出し式に取り付けられている。電子制御カード１は、外側を向くモータ７との接続を制御するコネクタ４，４’を取り付けて、所定位置に設けられる。それにより、２相のステップモータであるモータ７を制御する４本の導線９が接続される。電子制御カード１が案内縁８Ａ，８Ｂ，８Ｃ上に挿入されると、導体部材５の上部脚５Ｂが下方へ押され、モータ７のケースに対してスラスト方向の力がかかる。従って、導体部材５とケースとが好適に接触する。導体部材５が変形することにより、ケースは、電子制御カード１のアース線と電気接続される。【選択図】図２
2004356099.tif 000002
【特許請求の範囲】
【請求項１】
金属製のケースに収容されたモータ（７）と、モータ（７）のための電子制御カード（１）とをハウジング（８）内に備え、前記ケース（７）をアース線に接続してあるアクチュエータにおいて、
前記接続は、少なくとも１つの変形可能な部材（５）によりなされ、この部材（５）を変形させることにより、前記ケースと前記アース線とを電気接続するようになっていることを特徴とするアクチュエータ。
【請求項２】
変形可能な部材（５）と少なくとも１つの他の部材とにより、電気接続したことを特徴とする、請求項１に記載のアクチュエータ。
【請求項３】
前記変形可能な部材（５）を、前記電子制御カード（１）のアース線に固定したことを特徴とする、請求項１または２に記載のアクチュエータ。
【請求項４】
前記変形可能な部材（５）は、滑りスタッド型のばねを有する少なくとも１つの接片を備えていることを特徴とする、請求項１〜３のいずれかに記載のアクチュエータ。
【請求項５】
前記変形可能な部材（５）は、少なくとも１つの可撓性の導体片からなっていることを特徴とする、請求項１〜４のいずれかに記載のアクチュエータ。
【請求項６】
ハウジング（８）に固定された案内縁（８Ａ）（８Ｂ）（８Ｃ）上に、モータ（７）に近接して電子制御カード（１）が取り付けられている請求項５に記載のアクチュエータにおいて、
前記電子制御カード（１）は、アース線に固定された可撓性で導電性の前記部材（５）を保持し、前記案内縁（８Ａ）（８Ｂ）（８Ｃ）に電子制御カード（１）を取り付けることにより、前記部材（５）は、変形してモータ（７）のケースと接触する形状となっていることを特徴とするアクチュエータ。
【請求項７】
前記部材（５）は、底部脚（５Ａ）がアース線に固定されたＺ形状となっていることを特徴とする、請求項５または６に記載のアクチュエータ。
【請求項８】
モータ（７）のケースと接触する部材（５）の上部脚（５Ｂ）は、少なくとも１つの長手方向のスロット（５Ｃ）を備えていることを特徴とする、請求項７に記載のアクチュエータ。
【請求項９】
部材（５）を、電子制御カード（１）のアース線に半田付けしたことを特徴とする、請求項５〜８のいずれかに記載のアクチュエータ。
【請求項１０】
自動車のヘッドライトのリフレクタを駆動するようになっている、請求項５〜９のいずれかに記載のアクチュエータ。
【請求項１１】
請求項１〜１１のいずれかに記載のアクチュエータを備える自動車のヘッドライト。
【請求項１２】
請求項１１に記載のヘッドライトを、１個以上備える自動車。
【発明の詳細な説明】
【技術分野】
【０００１】
本発明は、電磁線を制限する電子制御カードを備えるアクチュエータに関し、より詳しく言うと、自動車のヘッドライトのリフレクタを駆動するアクチュエータに関する。
【背景技術】
【０００２】
例えば高周波発信器を含む電子回路を機能させると、高周波電磁信号が発生する。この信号は、電子回路の通常動作時に発生し、他の電子回路の動作に干渉するので、好ましくないものである。上述した干渉及び悪影響は、電子機器を扱うユーザにはよく知られている。
【０００３】
好ましくない信号を最小限とするために、電子回路を低電位、またはアース電位の電磁シールドでシールドすることは知られている。接地された電磁シールドは、電磁界を吸収する。すなわち、電子制御カードの場合、電磁シールドをアース線に溶接することが知られている。しかし、このような構造とすると、電子制御カードの検査や修理が実質的に不可能となる。
【０００４】
また、自動車のヘッドライトのリフレクタを駆動するアクチュエータでは、ハウジング内に、ステップモータ及び電子制御カードが設けられている。電子制御カードを取り付け及び取り外しできるようにするために、電子制御カードは、モータに近接して電子制御カードに設けられた案内縁に、引き出し式に取り付けられる。
【０００５】
例えば２相のステップモータを制御する場合、電圧及び電源のカットオフにより、通常動作時に電磁干渉（ＥＭＣ）が発生する。
【発明の開示】
【発明が解決しようとする課題】
【０００６】
モータのケースを、接地されたシールドとして用いることが知られている。この接地は、５番目の導線として知られている公知の導線によりなされる。この導線は、アース線へ接続された電子制御カード側のコネクタと、折り曲げられた片によりケースに接続されたモータ側の接続部とに接続される。また、モータ側の接続部には、制御用の４つの信号伝送接続部が設けられている。
【０００７】
このような解決方法には、次のような問題がある。
【０００８】
電子制御カード側のコネクタに、アース線への接続部を設ける必要がある。
【０００９】
モータに５つの導線接続部を設けるために、モータを特別に配列する必要がある。すなわち、標準的な４相ステップモータは、４つの導線接続部を備え、ケースへの接続部は備えていない。標準的なモータの場合、上述した方法を用いることはできない。
【００１０】
ケースへの電気接続部を有していない標準的なモータでは、上述した方法を用いることはできない。
【００１１】
しかし、この種類の装置では、電磁干渉に対する要求が、ますます重要となっている。
【課題を解決するための手段】
【００１２】
この問題を解決するために、本発明は、金属製のケースに収容されたモータと、モータを制御する電子制御カードとをハウジング内に備え、前記ケースをアース線に電気接続したアクチュエータにおいて、前記接続は、少なくとも１つの変形可能な部材を含む少なくとも１つの部材によりなされ、この部材が変形することにより、前記ケースと前記アース線とが電気接続されるようになっていることを特徴とするアクチュエータを提案している。
【００１３】
最も簡単な実施例は、ケースとアース線との間に設けられ、変形可能な導電部材による電気接続部からなっている。しかし、少なくとも１つの変形可能な部材を含む複数の導電部材による電気接続部を用いることもできる。これは、変形可能な部材が、モータのケースから離れている場合に有効である。ケースと特別に配列された導電部材を備えるアース線との間を、適切な様式をもって、電気的連続性をもたせる必要がある。
【００１４】
本発明の構成によると、電磁干渉は効率よく低減させられ、かつ、種々のモータ及び電子制御カードに適用することができる。
【００１５】
また、本発明は、次のような利点を有している。
【００１６】
電気回路は、熱エネルギーに関して効率的に機能する。熱エネルギーが消費されないと、温度上昇により、電子制御カードが誤動作したり故障したりする。上述した変形可能な導電部材により、電磁干渉は低減するとともに、確実に熱が放出される。
【００１７】
また、シールドを用いることにより、電圧や電源の急激な遮断に対応でき、スイッチング時のロスを最小とすることができる。熱量を最適とすることにより、モータを駆動する部材のハウジングを小さくできるので、ハウジングのコストを低く抑えることができる。
【００１８】
また、モータと電子制御カードとのアッセンブリを小型とすることが重要である。本発明によると、アクチュエータのハウジング及びアッセンブリを好適に小型化できる。
【００１９】
本発明の好ましい実施例によれば、前記変形可能な部材は、前記電子制御カードのアース線に固定されている。
【００２０】
前記変形可能な部材は、少なくとも１つの可撓性の片を備えているのが好ましい。また、単一の片からなっているのが好ましい。
【００２１】
本発明は、ハウジングに固定された案内縁上に、モータに近接して電子制御カードが取り付けられたアクチュエータにおいて、前記電子制御カードは、アース線に固定された可撓性で導電性の部材を保持し、前記案内縁に電子制御カードを取り付けることにより、前記部材は変形して、モータのケースと接触する形状となっていることを特徴とするアクチュエータである。
【００２２】
好ましい実施例によれば、前記部材は、底部脚がアース線に固定されたＺ形状となっている。
【００２３】
モータのケースと接触する部材の上部脚は、モータの接触領域に対する部材の応力を吸収する、少なくとも１つの長手方向のスロットを備えている。
【００２４】
オートマチックモードにおけるＣＭＳ部材設置装置により、部材を把持する平坦領域が設けられている。
【００２５】
部材は、電子制御カードのアース線に半田付けされている。
【００２６】
本発明の好ましい適用例は、自動車のヘッドライトのリフレクタを駆動する、上述したようなアクチュエータである。
【００２７】
次に、本発明の詳細を、好ましい一実施例を示す図面を用いて説明する。
【発明を実施するための最良の形態】
【００２８】
図１に示す電子制御カード（１）は、種々の電子部品（３）を接続する導線（図示しない）と、２つのコネクタ（４）（４’）とが設けられた絶縁基板（２）を、公知のように備えている。電子制御カード（１）は、可撓性の導体片からなる変形可能な導体部材（５）に半田付けされたアース線を備えている。
【００２９】
導体部材（５）はＺ形状であり、底部脚（５Ａ）はアース線に半田付けされ、上部脚（５Ｂ）には、長手方向に延びる少なくとも１つのスロット、図１では２つのスロット（５Ｃ）が設けられている。次に、導体部材（５）の機能を説明する。
【００３０】
この型の電子制御カード（１）は、図２及び図３に部分的に示すアクチュエータ（６）に用いられる。このようなアクチュエータ（６）は、自動車のヘッドライトのリフレクタを駆動するものである。
【００３１】
アクチュエータ（６）のハウジング（８）内には、金属製のケースに収容されたモータ（７）と電子制御カード（１）とが設けられている。電子制御カード（１）は、モータ（７）を制御するために、ハウジング（８）に固定された案内縁（８Ａ）（８Ｂ）（８Ｃ）上に、モータ（７）に近接して引き出し式に取り付けられている。電子制御カード（１）は、外側を向くモータ（７）との接続を制御するコネクタ（４）（４’）を取り付けて、所定位置に設けられる。それにより、２相のステップモータであるモータ（７）を制御する４本の導線（９）が接続される。
【００３２】
電子制御カード（１）が案内縁（８Ａ）（８Ｂ）（８Ｃ）上に挿入されると、図面からわかるように、導体部材（５）の上部脚（５Ｂ）が下方へ押され、モータ（７）のケースに対してスラスト方向の力がかかる。従って、導体部材（５）とケースとが好適に接触する。導体部材（５）が変形することにより、ケースは、電子制御カード（１）のアース線と電気接続される。
【００３３】
上部脚（５Ｂ）に形成されたスロット（５Ｃ）の機能については、図２及び図３に示してある。電子制御カード（１）のアース線は、一方の縁に近接して設けられている。種々の部材が、ある相対関係をもって設けられており、かつ電子制御カード（１）が引き出し式となっているため、上部脚（５Ｂ）の一部をモータ（７）に接触させるだけで、上部脚（５Ｂ）を、モータ（７）のケースの一方の縁に位置させることができる。スロット（５Ｃ）が設けられているため、上部脚（５Ｂ）の一方の縁とスロット（５Ｃ）との間に設けられた上部脚（５Ｂ）の一部は変形する。従って、変形力は制限される。
【００３４】
好ましい実施例について上述したが、本発明は、他の同等の例も含むものである。
【００３５】
変形可能なＺ形状の導体部材（５）を他の形状となるように、変形させて、ケースとアース線とを電気接続させてもよい。
【００３６】
変形可能な導体部材（５）を、的確に記載した可撓性の片とすることができる。また、滑りスタッド型のばねを有する接片とすることもできる。
【００３７】
変形可能な導体部材（５）は、ケースをアース線に電気接続するように機能する。好ましい実施例においては、電子制御カード（１）のアース線が用いられる。また、モータ（７）のケースとアクチュエータ（６）のハウジング（８）との間に、この接片を設けてもよい。
【００３８】
さらに、変形可能な導体部材（５）を、好ましい実施例に示すように、電子制御カード（１）に固定したり、例えばオーバーモールドして、アクチュエータのハウジングやモータのケースに固定してもよい。
【００３９】
材料のばね特性及び溶接性（予備めっき）に基づいて、材料が選択される。例えば、0.2ｍｍ厚さで、S14状態にあるCuSn9P型のりん青銅を用いることができる。
【００４０】
また、本発明は、本発明によるアクチュエータを備えるヘッドライト、及びそのようなヘッドライトを備える自動車にも関するものである。
【図面の簡単な説明】
【００４１】
【図１】本発明による電子制御カードの斜視図である。
【図２】電子制御カードが取り付けられる時の、本発明によるアクチュエータの部分斜視図である。
【図３】電子制御カードが取り付けられる時の、本発明によるアクチュエータの部分斜視図である。
【符号の説明】
【００４２】
１        電子制御カード
２        絶縁基板
３        電子部品
４、４’  コネクタ
５        導体部材
５Ａ      底部脚
５Ｂ      上部脚
５Ｃ      スロット
６        アクチュエータ
７        モータ
８        ハウジング
８Ａ、８Ｂ、８Ｃ  案内縁
９        導線
【図１】
2004356099.tif 000003
【図２】
2004356099.tif 000004
【図３】
2004356099.tif 000005